(57)【特許請求の範囲】
【請求項１】
顧客操作により取引を行う自動取引装置において、
顧客の取引履歴を保存したＩＣカードを読取る読取部と、
顧客が取引操作する際に前記読取部で読取った取引履歴を表示する表示部と、
所定期間における累計出金限度額を設定するための限度額設定手段と、
顧客が出金額を入力する出金額入力手段と、
取引履歴および前記出金額入力手段により入力された出金額に基づいて、所定期間における累計出金額を算出する算出手段と、
前記算出手段により算出された累計出金額と前記限度額設定手段により設定された累計出金限度額とを比較する比較手段とを設け、
前記比較手段により前記累計出金額が前記累計出金限度額以下であると判定された場合に出金取引を実行することを特徴とする自動取引装置。
【請求項２】
前記限度額設定手段により累計出金限度額を設定する場合、パスワードを入力させる請求項１記載の自動取引装置。
【請求項３】
前記比較手段により前記累計出金額が前記累計出金限度額より多いと判定された場合、累計出金額が累計出金限度額を超えた旨を顧客に通知する請求項１または２記載の自動取引装置。
【請求項４】
前記累計出金額が前記累計出金限度額を超えた旨の通知をした後、出金取引続行可能とし、続行する場合、前記出金額入力手段により出金額を再入力するガイダンスを行う請求項３記載の自動取引装置。
【請求項５】
前記比較手段は、前記算出手段により算出された前記累計出金額と口座引落し予定額を加えた値を前記累計出金限度額と比較し、
前記累計出金額と口座引落し予定額を加えた値が前記累計出金限度額以下であると判定された場合に出金取引を実行する請求項１記載の自動取引装置。
【請求項６】
前記口座引落し予定額はＩＣカードに保存される請求項５記載の自動取引装置。
【請求項７】
前記限度額設定手段は、月収入の設定割合を前記累計出金限度額と設定する請求項１記載の自動取引装置。
【発明の詳細な説明】
【技術分野】
【０００１】
本発明は、金融機関等に設置され、顧客操作により取引を自動的に行う自動取引装置に関し、特に出金取引における過度な出金を防止する自動取引装置に関する。
【背景技術】
【０００２】
従来、自動取引装置においては、カードのみによる取引と、カードと通帳による取引とが可能であり、取引履歴は通帳記帳により確認可能であるが、カードのみによる取引においては、取引履歴は確認できず、口座残高がわかるだけである。そして残高がある限り、自動取引装置で決められた出金限度額まで出金取引が可能である。
【０００３】
出金限度額を利用者が設定するようにしたものが、例えば、特許文献１（特開２００６−９９３０４号公報）に開示されている。これは、自動取引装置の取引選択画面において出金限度額変更を選択し、利用者が出金限度額を入力すると、ホストコンピュータに対して出金限度額変更要求電文を送信し、ホストコンピュータで出金限度額を更新すると、自動取引装置へ回答電文を送信して出金限度額変更を終了する、というものである。
【特許文献１】特開２００６−９９３０４号公報
【発明の開示】
【発明が解決しようとする課題】
【０００４】
しかしながら従来の自動取引装置を利用する環境においては、カードのみによる出金取引が多く行われ、残高の把握のみで家計管理を行う場合が多い。しかしながら残高のみの把握では、ある期間、例えば月間の、或いは更に長期間の、残高の推移がわかりにくいという問題があった。
【０００５】
また月毎の残高が減少しても、あるいは長期的に残高が減少しても、出金限度額以上の残高があれば、自動取引装置での出金取引が可能であるので、なし崩し的に出金取引が行われやすく、無駄な出費を重ねることが少なくない。
さらに公共料金の口座引落しやクレジットカード等による口座引落しの予定が、自動取引装置での取引時に確認しにくいので、残しておくべき残高がわからないため、うっかり出金取引をした後に口座引落し時に残高不足になる場合があった。
【０００６】
そこで本発明は、カードのみによる取引においてもある期間における残高の推移を確認可能にするとともに、ある期間における累計出金額が限度額に達したか否かを確認でき、さらに口座引落し時の残高不足を回避しやすくする自動取引装置を提供することを目的とする。
【課題を解決するための手段】
【０００７】
上記課題を解決するために本発明は、顧客操作により取引を行う自動取引装置において、顧客の取引履歴を保存したＩＣカードを読取る読取部と、顧客が取引操作する際に前記読取部で読取った取引履歴を表示する表示部と、所定期間における累計出金限度額を設定するための限度額設定手段と、顧客が出金額を入力する出金額入力手段と、取引履歴および前記出金額入力手段より入力された出金額に基づいて、所定期間における累計出金額を算出する算出手段と、前記算出手段により算出された累計出金額と前記限度額設定手段により設定された累計出金限度額とを比較する比較手段とを設け、前記比較手段により前記累計出金額が前記累計出金限度額以下であると判定された場合に出金取引を実行することを特徴とするものである。
【０００９】
また、比較手段が、算出手段により算出された累計出金額と口座引落し予定額を加えた値を、限度額設定手段により設定された累計出金限度額と比較し、累計出金額と口座引落し予定額を加えた値が累計出金限度額以下であると判定された場合に出金取引を実行するようにすることにより、口座引落し時における残高不足を回避できるようになる。
【発明の効果】
【００１０】
上記構成の第１の発明によれば、ＩＣカードから読取った取引履歴を取引時に表示部に表示するようにしたので、ある期間における残高の推移が容易にわかるようになる。
【００１１】
また第２の発明に拠れば、比較手段により累計出金額が累計出金限度額以下であると判定された場合に出金取引を実行するようにしたので、残高を確保した安全な出金取引を行うことができる。
【発明を実施するための最良の形態】
【００１２】
以下、本発明の実施の形態を図面にしたがって説明する。各図面に共通する要素には同一の符号を付す。図１は本発明の第１の実施の形態における自動取引装置を示すブロック図である。図１において、第１の実施の形態の自動取引装置１は、通信部２、制御部３、記憶部４、顧客操作部５、カード取扱部６、通帳取扱部７、紙幣入出金部８および硬貨入出金部９を有する。自動取引装置１は通信回線１０を介してホストコンピュータ１１に接続されている。
【００１３】
通信部２は、ホストコンピュータ１１との間でのデータの送受を仲介する。制御部３は、自動取引装置１の各部を制御し、種々の取引処理を実行するとともに、ホストコンピュータ１１との間でデータ通信を行う。記憶部４は、制御部３が実行するためのプログラムや制御部３による処理結果などを格納する。顧客操作部５は、自動取引装置１の前面に設けられ、ＬＣＤ等の表示部とタッチパネル等の位置信号検出手段との組み合わせで構成され、取引選択画面や顧客への操作誘導を促す画面を表示するとともに、顧客による入力を受付ける。
【００１４】
カード取扱部６は、ＩＣカードに対して読み書きが可能で、顧客の取引カードであるＩＣカード１２の記録部に対してカード情報を接触または非接触の手段により読み書きする。カード取扱部６はまた、磁気データの読取り／書込み機能も有する。顧客の所有するＩＣカード１２の記録部には、カード情報として顧客の口座情報に加えて、過去の取引履歴が記録されている。
【００１５】
通帳取扱部７は、挿入された顧客の通帳の磁気ストライプに対して情報を読み書きするとともに、取引内容を通帳に印字する。紙幣入出金部８は、顧客が投入した紙幣を入金紙幣として受け入れ、鑑別、計数して収納するとともに、顧客の要求により収納してある紙幣を出金紙幣として排出する。硬貨入出金部９は、顧客が投入した硬貨を入金硬貨として受け入れ、鑑別、計数して収納するとともに、顧客の要求により収納してある硬貨を出金硬貨として排出する。
【００１６】
次に第１の実施の形態の自動取引装置１の動作について説明する。図２は第１の実施の形態における取引動作を示すフローチャートである。なお以下の説明では顧客が出金取引を選択した場合の動作を説明する。顧客が店舗等に設置してある自動取引装置１に接近すると、図示しない近接センサにより接近が検知され、顧客操作部５に取引選択画面が表示される（ステップ１）。図３に取引選択画面を示す。図３において、取引選択画面２０には、取引ボタンの押下を促す旨の文言のほかに、出金取引を示す「お引き出し」ボタンや、振込取引を示す「お振り込み」ボタンなどの取引選択ボタンが表示される。
【００１７】
顧客が「お引き出し」ボタンを押下すると（ステップ２）、制御部３は顧客に対してカードの挿入を促すガイダンスを表示する。顧客が自分のＩＣカード１２を挿入すると（ステップ３）、カード取扱部６は顧客のＩＣカード１２の記録部に記録されている口座情報と取引履歴情報を読取る（ステップ４）。
【００１８】
次に制御部３は、顧客に対して暗証番号の入力を促すガイダンスを表示し、これにしたがって顧客が暗証番号を入力する（ステップ５）。制御部３は入力された暗証番号をホストコンピュータ１１へ送信する。ホストコンピュータ１１では格納してある顧客の暗証番号と送られてきた暗証番号との一致を調べ、その結果を制御部３へ回答する。制御部３は、一致していない旨の回答を受け取った場合、所定回数の再入力を受け付け、それでも再入力された暗証番号が一致しない場合はＩＣカード１２を排出し、取引処理を終了させる。
【００１９】
暗証番号が一致したとの回答を得た場合（ステップ６）、制御部３は、顧客のＩＣカード１２から読取った取引履歴を表示する（ステップ７）。取引履歴の表示例を図４に示す。図４に示すように、取引履歴表示画面２１には、当月の現在までの取引履歴が表示される。そして表示項目としては、月日、支払金額または預入金額、残高である。また取引履歴表示画面２１には「確認」ボタン２２が表示される。顧客が取引履歴を確認して、「確認」ボタン２２を押下しない限り、出金取引を実行することはできないようになっている。
【００２０】
顧客が「確認」ボタン２２を押下すると（ステップ８）、制御部３は、出金額を入力するための画面を表示する（ステップ９）。顧客は出金額を入力する前に取引履歴画面２１を見ているので、残高の推移を勘案して出金額を入力することができる。顧客が出金額を入力すると（ステップ１０）、制御部３は入力された出金額に基づいて、出金処理を実行する（ステップ１１）。
【００２１】
出金処理においては、紙幣入出金部８および必要に応じて硬貨入出金部９から、入力された出金額の紙幣または硬貨を計数して払い出すとともに、また取引内容をカード取扱部６により取引明細票に印字する。またカード取扱部６により、顧客のＩＣカード１２の記録部に、今回の取引内容を新たな取引履歴として書き込む（ステップ１２）。その後制御部３は、取引明細票とともにＩＣカード１２を排出し、顧客に返却して（ステップ１３）、取引処理を終了する。
【００２２】
以上のように第１の実施の形態では、カードのみによる取引時に取引履歴を表示するようにしたので、カードのみによる取引においても残高の推移を確認することができる。上記実施の形態では、出金取引を例にして説明したが、他の取引においても顧客のＩＣカード１２の記録部に、行った取引の内容を取引履歴として記録することはいうまでもない。
【００２３】
また、他の取引、例えば入金取引時にも取引履歴を表示するようにしてもよい。さらに、上記実施の形態では、取引選択画面で出金取引を選択した後に、取引履歴を表示するようにしているが、これに限らず、取引選択の前に顧客にＩＣカード１２を挿入させ、取引履歴を読取り、さらに取引履歴を表示した後に取引選択をさせるようにしてもよい。
【００２４】
次に第２の実施の形態を説明する。第２の実施の形態は、自動取引装置での取引時に、月毎の累計出金限度額を設定可能にし、月毎の取引金額が累計出金限度額を超えた場合に、顧客に対してメッセージを通知するようにしたものである。第２の実施の形態のハードウェア構成は前記第１の実施の形態と同様であり、ここでは図５にしたがって、また第１の実施の形態の図面を流用して、第２の実施の形態の取引動作を説明する。図５は第２の実施の形態における取引動作を示すフローチャートであり、ここでも出金取引について説明する。
【００２５】
顧客が店舗等に設置してある自動取引装置１に接近すると、図示しない近接センサにより接近が検知され、顧客操作部５に取引選択画面が表示される（ステップ２１）。図６に取引選択画面を示す。図６において、取引選択画面３０には、取引ボタンの押下を促す旨の文言のほかに、出金取引を示す「お引き出し」ボタンや、振込取引を示す「お振り込み」ボタンなどの取引選択ボタンに加えて、「累計出金限度額変更」ボタン３１が表示される。
【００２６】
顧客が「累計出金限度額変更」ボタン３１を押下すると（ステップ２２）、次に顧客操作部５の表示部には、図７に示すように、パスワード入力画面３２が表示される。顧客がパスワードを入力すると、図８に示すように、次に新たな出金限度額の入力画面３３が表示される。出金限度額入力画面３３には現在設定されている限度額も表示される。顧客が新たな出金限度額を入力し、その後ＯＫボタンを押下することにより、出金限度額が変更される（ステップ２３）。その後顧客操作部５の表示部は取引選択画面３０に戻る。
【００２７】
取引選択画面３０において顧客が「お引き出し」ボタンを押下すると（ステップ２４）、制御部３は顧客に対してカードの挿入を促すガイダンスを表示する。顧客が自分のＩＣカード１２を挿入すると（ステップ２５）、カード取扱部６は顧客のＩＣカード１２の記録部に記録されている口座情報と取引履歴情報を読取る（ステップ２６）。
【００２８】
次に制御部３は、顧客に対して暗証番号の入力を促すガイダンスを表示し、これにしたがって顧客が暗証番号を入力する（ステップ２７）。制御部３は入力された暗証番号をホストコンピュータ１１へ送信する。ホストコンピュータ１１では格納してある顧客の暗証番号と送られてきた暗証番号との一致を調べ、その結果を制御部３へ回答する。制御部３は、一致していない旨の回答を受け取った場合、所定回数の再入力を受け付け、それでも再入力された暗証番号が一致しない場合はＩＣカード１２を排出し、取引処理を終了させる。
【００２９】
暗証番号が一致したとの回答を得た場合（ステップ２８）、制御部３は、顧客のＩＣカード１２から読取った取引履歴を表示する（ステップ２９）。この場合の取引履歴の表示例は図４に示す第１の実施の形態の場合と同様である。即ち、図４に示すように、取引履歴表示画面２１には、当月の現在までの取引履歴が表示される。そして表示項目としては、月日、支払金額または預入金額、残高である。また取引履歴表示画面２１には「確認」ボタン２２が表示される。顧客が取引履歴を確認して、「確認」ボタン２２を押下しない限り、出金取引を実行することはできないようになっている。
【００３０】
顧客が「確認」ボタン２２を押下すると（ステップ３０）、制御部３は、出金額を入力するための画面を表示する（ステップ３１）。顧客は出金額を入力する前に取引履歴画面２１を見ているので、残高の推移を勘案して出金額を入力することができる。顧客が出金額を入力すると（ステップ３２）、制御部３は、入力された出金額と取引履歴情報から、当月の累計出金額を算出する（ステップ３３）。
【００３１】
次に制御部３は、算出した当月の累計出金額と設定されている累計出金限度額とを比較する（ステップ３４）。比較の結果、当月の累計出金額が累計出金限度額以下である場合は、入力された出金額に基づいて、出金処理を実行する（ステップ３５）。出金処理においては、紙幣入出金部８および必要に応じて硬貨入出金部９から、入力された出金額の紙幣または硬貨を計数して払い出すとともに、また取引内容をカード取扱部６により取引明細票に印字する。またカード取扱部６により、顧客のＩＣカード１２の記録部に、今回の取引内容を新たな取引履歴として書き込む（ステップ３６）。その後制御部３は、取引明細票とともにＩＣカード１２を排出し、顧客に返却して（ステップ３７）、取引処理を終了する。
【００３２】
ステップ３４において、当月の累計出金額が累計出金限度額より大きい場合は、顧客操作部５の表示部に、図９に示すように、当月の累計出金額が累計出金限度額を超えた旨のメッセージを表示する。このとき同時に、取引を続行するかどうかを顧客に問い合わせ、続行する場合は「続行」ボタンを押下し、続行しない場合は「取消」ボタンを押下する指示を出し、続行する場合は出金額を変更する旨のガイダンスを表示する（ステップ３８）。なお図９は累計出金限度額超過メッセージを表示する画面を示す説明図である。
【００３３】
顧客が「続行」ボタンを押下すると（ステップ３９）、ステップ３１へ戻り、出金額入力画面が表示され、顧客は再度出金額を入力する。また顧客が「取消」ボタンを押下すると、出金処理が取り消され、処理を終了する。
【００３４】
以上のように第２の実施の形態に拠れば、第１の実施の形態の有する効果に加えて、顧客は月毎の累計出金額が累計出金限度額を超えたかどうかを容易に確認することができ、月毎の出金管理が容易になる。また累積出金限度額の設定及び変更にパスワードを設けることにより、当該口座を利用可能な他者による限度額の無断変更を防止することができる。
【００３５】
次に第３の実施の形態を説明する。第３の実施の形態は、自動取引装置での取引時に、月毎の累計出金限度額を設定可能にし、月毎の出金取引金額が累計出金限度額を超えた場合に、顧客に対してメッセージを通知するようにするとともに、公共料金やクレジットカード等による口座引落し予定日および口座引落し金額を顧客のＩＣカードに保存可能にしたものである。
【００３６】
また第３の実施の形態のハードウェア構成は前記第１の実施の形態と同様であり、ここでは図１０にしたがって、また第１の実施の形態の図面を流用して、第３の実施の形態の取引動作を説明する。図１０は第３の実施の形態における取引動作を示すフローチャートであり、ここでも出金取引について説明する。
【００３７】
顧客が店舗等に設置してある自動取引装置１に接近すると、図示しない近接センサにより接近が検知され、顧客操作部５に取引選択画面が表示される（ステップ４１）。図１１に取引選択画面を示す。図１１において、取引選択画面４０には、取引ボタンの押下を促す旨の文言のほかに、出金取引を示す「お引き出し」ボタンや、振込取引を示す「お振り込み」ボタンなどの取引選択ボタンに加えて、「累計出金限度額変更」ボタン３１と「口座引落し予定額変更」ボタン４１が表示される。
【００３８】
顧客が「累計出金限度額変更」ボタン３１を押下した場合（ステップ４２）、第２の実施の形態で説明したように、累計出金限度額が変更される（ステップ４３）。また顧客が「口座引落し予定額変更」ボタン４１を押下した場合（ステップ４４）、顧客操作部５の表示部には、図１２に示す口座引落し予定額変更画面４２が表示される。図１２に示すように、口座引落し予定額変更画面４２には、その月の予定されている口座引落し項目と、引落し予定額が表示され、さらに引落し予定額の変更ボタン４３が表示されている。
【００３９】
顧客がいずれかの引落し予定額変更ボタン４３を押下すると、図１３に示すように、新たな引落し予定額入力画面４４が表示され、この画面４４において顧客は新たな引落し予定額を入力し、その後確認ボタンを押下することにより、引落し予定額が変更される（ステップ４５）。その後顧客操作部５の表示部は取引選択画面４０に戻る。
【００４０】
次に、取引選択画面４０において顧客が「お引き出し」ボタンを押下すると（ステップ４６）、制御部３は顧客に対してカードの挿入を促すガイダンスを表示する。顧客が自分のＩＣカード１２を挿入すると（ステップ４７）、カード取扱部６は顧客のＩＣカード１２の記録部に記録されている口座情報と取引履歴情報を読取る（ステップ４８）。
【００４１】
次に制御部３は、顧客に対して暗証番号の入力を促すガイダンスを表示し、これにしたがって顧客が暗証番号を入力する（ステップ４９）。制御部３は入力された暗証番号をホストコンピュータ１１へ送信する。ホストコンピュータ１１では格納してある顧客の暗証番号と送られてきた暗証番号との一致を調べ、その結果を制御部３へ回答する。制御部３は、一致していない旨の回答を受け取った場合、所定回数の再入力を受け付け、それでも再入力された暗証番号が一致しない場合はＩＣカード１２を排出し、取引処理を終了させる。
【００４２】
暗証番号が一致したとの回答を得た場合（ステップ５０）、制御部３は、顧客のＩＣカード１２から読取った取引履歴を表示する（ステップ５１）。この場合の取引履歴の表示例は図４に示す第１の実施の形態の場合と同様である。即ち、図４に示すように、取引履歴表示画面２１には、当月の現在までの取引履歴が表示される。そして表示項目としては、月日、支払金額または預入金額、残高である。また取引履歴表示画面２１には「確認」ボタン２２が表示される。顧客が取引履歴を確認して、「確認」ボタン２２を押下しない限り、出金取引を実行することはできないようになっている。
【００４３】
顧客が「確認」ボタン２２を押下すると（ステップ５２）、制御部３は、出金額を入力するための画面を表示する（ステップ５３）。顧客は出金額を入力する前に取引履歴画面２１を見ているので、残高の推移を勘案して出金額を入力することができる。顧客が出金額を入力すると（ステップ５４）、制御部３は、入力された出金額と取引履歴情報から、当月の累計出金額を算出する（ステップ５５）。
【００４４】
次に制御部３は、算出した当月の累計出金額と当月の口座引落し予定額を合算した値と、設定されている累計出金限度額とを比較する（ステップ５６）。比較の結果、当月の累計出金額と当月の口座引落し予定額を合算した値が累計出金限度額以下である場合は、入力された出金額に基づいて、出金処理を実行する（ステップ５７）。
【００４５】
出金処理においては、紙幣入出金部８および必要に応じて硬貨入出金部９から、入力された出金額の紙幣または硬貨を計数して払い出すとともに、また取引内容をカード取扱部６により取引明細票に印字する。またカード取扱部６により、顧客のＩＣカード１２の記録部に、今回の取引内容を新たな取引履歴として書き込む（ステップ５８）。その後制御部３は、取引明細票とともにＩＣカード１２を排出し、顧客に返却して（ステップ５９）、取引処理を終了する。
【００４６】
ステップ５６において、当月の累計出金額と当月の口座引落し予定額を合算した値が累計出金限度額より大きい場合は、顧客操作部５の表示部に、当月の累計出金額と当月の口座引落し予定額の合計が累計出金限度額を超えた旨のメッセージを表示する。このとき同時に、取引を続行するかどうかを顧客に問い合わせ、続行する場合は「続行」ボタンを押下し、続行しない場合は「取消」ボタンを押下する指示を出し、続行する場合は出金額を変更する旨のガイダンスを表示する（ステップ６０）。
【００４７】
顧客が「続行」ボタンを押下すると（ステップ６１）、ステップ５３へ戻り、出金額入力画面が表示され、顧客は再度出金額を入力する。また顧客が「取消」ボタンを押下すると、出金処理が取り消され、処理を終了する。
【００４８】
以上のように第３の実施の形態に拠れば、第２の実施の形態の有する効果に加えて、口座引落し予定を加味した月毎の出金管理が可能になり、口座引落しによる残高不足を回避することが可能になる。
【００４９】
次に第４の実施の形態を説明する。第４の実施の形態は、自動取引装置での取引時に、月毎の累計出金限度額を設定可能にし、その月毎の累計出金限度額をその月の収入に応じて設定するようにしたものである。第４の実施の形態のハードウェア構成は前記第１の実施の形態と同様であり、ここでは図１４にしたがって、また第１の実施の形態の図面を流用して、第４の実施の形態の取引動作を説明する。図１４は第４の実施の形態における取引動作を示すフローチャートであり、ここでも出金取引について説明する。
【００５０】
顧客が店舗等に設置してある自動取引装置１に接近すると、図示しない近接センサにより接近が検知され、顧客操作部５に、第２の実施の形態と同様の図６に示す取引選択画面が表示される（ステップ７１）。即ち、取引選択画面３０には、取引ボタンの押下を促す旨の文言のほかに、出金取引を示す「お引き出し」ボタンや、振込取引を示す「お振り込み」ボタンなどの取引選択ボタンに加えて、「累計出金限度額変更」ボタン３１が表示される。
【００５１】
顧客が「累計出金限度額変更」ボタン３１を押下すると（ステップ７２）、次に顧客操作部５の表示部には、第２の実施の形態と同様に、パスワード入力画面が表示され、顧客がパスワードを入力すると、次に新たな出金限度額の入力画面が表示される。図１５に新たな出金限度額の入力画面を示す。図１５において、出金限度額の入力画面５０には、収入の何パーセントを出金限度額にするかの問合せが表示され、顧客が何パーセントかを入力し、その後確認ボタンを押下することにより、累計出金限度額が設定される（ステップ７３）。その後顧客操作部５の表示部は取引選択画面３０に戻る。
【００５２】
取引選択画面３０において顧客が「お引き出し」ボタンを押下すると（ステップ７４）、制御部３は顧客に対してカードの挿入を促すガイダンスを表示する。顧客が自分のＩＣカード１２を挿入すると（ステップ７５）、カード取扱部６は顧客のＩＣカード１２の記録部に記録されている口座情報と取引履歴情報を読取る（ステップ７６）。
【００５３】
次に制御部３は、顧客に対して暗証番号の入力を促すガイダンスを表示し、これにしたがって顧客が暗証番号を入力する（ステップ７７）。制御部３は入力された暗証番号をホストコンピュータ１１へ送信する。ホストコンピュータ１１では格納してある顧客の暗証番号と送られてきた暗証番号との一致を調べ、その結果を制御部３へ回答する。制御部３は、一致していない旨の回答を受け取った場合、所定回数の再入力を受け付け、それでも再入力された暗証番号が一致しない場合はＩＣカード１２を排出し、取引処理を終了させる。
【００５４】
暗証番号が一致したとの回答を得た場合（ステップ７８）、制御部３は、顧客のＩＣカード１２から読取った取引履歴を表示する（ステップ７９）。この場合の取引履歴の表示例は図４に示す第１の実施の形態の場合と同様である。即ち、図４に示すように、取引履歴表示画面２１には、当月の現在までの取引履歴が表示される。そして表示項目としては、月日、支払金額または預入金額、残高である。また取引履歴表示画面２１には「確認」ボタン２２が表示される。顧客が取引履歴を確認して、「確認」ボタン２２を押下しない限り、出金取引を実行することはできないようになっている。
【００５５】
顧客が「確認」ボタン２２を押下すると（ステップ８０）、制御部３は、出金額を入力するための画面を表示する（ステップ８１）。顧客は出金額を入力する前に取引履歴画面２１を見ているので、残高の推移を勘案して出金額を入力することができる。顧客が出金額を入力すると（ステップ８２）、制御部３は、入力された出金額と取引履歴情報から、当月の累計出金額を算出する（ステップ８３）。
【００５６】
次に制御部３は、ステップ７３で設定された収入に対する割合（パーセント）と、取引履歴における当月の収入とから累計出金限度額を算出する（ステップ８４）。そして制御部３は、ステップ８３で算出した当月の累計出金額と、ステップ７４で算出した累計出金限度額とを比較する（ステップ８５）。比較の結果、当月の累計出金額が累計出金限度額以下である場合は、入力された出金額に基づいて、出金処理を実行する（ステップ８６）。
【００５７】
出金処理においては、紙幣入出金部８および必要に応じて硬貨入出金部９から、入力された出金額の紙幣または硬貨を計数して払い出すとともに、また取引内容をカード取扱部６により取引明細票に印字する。またカード取扱部６により、顧客のＩＣカード１２の記録部に、今回の取引内容を新たな取引履歴として書き込む（ステップ８７）。その後制御部３は、取引明細票とともにＩＣカード１２を排出し、顧客に返却して（ステップ８８）、取引処理を終了する。
【００５８】
ステップ８５において、当月の累計出金額が累計出金限度額より大きい場合は、顧客操作部５の表示部に、第２の実施の形態と同様に、図９に示す、当月の累計出金額が累計出金限度額を超えた旨のメッセージを表示する。このとき同時に、取引を続行するかどうかを顧客に問い合わせ、続行する場合は「続行」ボタンを押下し、続行しない場合は「取消」ボタンを押下する指示を出し、続行する場合は出金額を変更する旨のガイダンスを表示する（ステップ８９）。
【００５９】
顧客が「続行」ボタンを押下すると（ステップ９０）、ステップ８１へ戻り、出金額入力画面が表示され、顧客は再度出金額を入力する。また顧客が「取消」ボタンを押下すると、出金処理が取り消され、処理を終了する。
【００６０】
以上のように第４の実施の形態に拠れば、第２の実施の形態の有する効果に加えて、その月の収入の額に応じて自動的に累計出金限度額を設定するので、柔軟な月毎の出金管理をすることが可能になる。
なお第１乃至第４の実施の形態においては、取引履歴を顧客のＩＣカードの記憶部に書込むようにしたが、書き込み先は顧客の携帯端末の記憶部やホストコンピュータであってもよい。
【図面の簡単な説明】
【００６１】
【図１】第１の実施の形態における自動取引装置を示すブロック図である。
【図２】第１の実施の形態における取引動作を示すフローチャートである。
【図３】取引選択画面を示す説明図である。
【図４】取引履歴の表示例を示す説明図である。
【図５】第２の実施の形態における取引動作を示すフローチャートである。
【図６】第２の実施の形態における取引選択画面を示す説明図である。
【図７】第２の実施の形態におけるパスワード入力画面を示す説明図である。
【図８】第２の実施の形態における出金限度額入力画面を示す説明図である。
【図９】累計出金限度額超過メッセージを表示する画面を示す説明図である。
【図１０】第３の実施の形態における取引動作を示すフローチャートである。
【図１１】第３の実施の形態における取引選択画面を示す説明図である。
【図１２】第３の実施の形態における口座引落し予定額変更画面を示す説明図である。
【図１３】第３の実施の形態における口座引落し予定額入力画面を示す説明図である。
【図１４】第４の実施の形態における取引動作を示すフローチャートである。
【図１５】第４の実施の形態における出金限度額割合入力画面を示す説明図である。
【符号の説明】
【００６２】
１  自動取引装置
３  制御部
５  顧客操作部
６  カード取扱部
１２  ＩＣカード
【図１】
0005338059.tif 000002
【図２】
0005338059.tif 000003
【図３】
0005338059.tif 000004
【図４】
0005338059.tif 000005
【図５】
0005338059.tif 000006
【図６】
0005338059.tif 000007
【図７】
0005338059.tif 000008
【図８】
0005338059.tif 000009
【図９】
0005338059.tif 000010
【図１０】
0005338059.tif 000011
【図１１】
0005338059.tif 000012
【図１２】
0005338059.tif 000013
【図１３】
0005338059.tif 000014
【図１４】
0005338059.tif 000015
【図１５】
0005338059.tif 000016